(57)【要約】【課題】密着させることなく米飯加工食品を包装し得ることで軟らかく握られた米飯加工食品への適用をも可能とするなど汎用性を向上させた上で、包装食品に高級感を付与し得るようにする。【解決手段】１枚の外フィルム２０と、該外フィルム２０の各側部にそれぞれ重ね合わされて周縁部の適所が外フィルム２０に溶着される一対のサイドフィルム３１とを備えて構成される包装シート１０であり、外フィルム２０には、略中央部で該外フィルム２０を横断する２本のカットテープ４０が設けられ、一対のサイドフィルム３１は、各先端部が前記一対のカットテープ４０間で互いに重ね合わされ得るように寸法設定されている。【選択図】　図２
2004081130.tif 000002
【特許請求の範囲】
【請求項１】
米飯加工食品の包装に供される包装シートであって、１枚の外フィルムと、該外フィルムの各側部にそれぞれ重ね合わされて周縁部の適所が外フィルムに溶着される一対のサイドフィルムとが備えられ、前記外フィルムには、略中央部で該外フィルムを横断する２本の切断手段が設けられ、前記一対のサイドフィルムは、各先端部が前記一対の切断手段間で互いに重ね合わされ得るように寸法設定されていることを特徴とする米飯加工食品用の包装シート。
【請求項２】
前記サイドフィルムは、外フィルムの側部に重ね合わされて周縁部同士が溶着されるサイドフィルム本体と、該サイドフィルム本体から外フィルムの中央部側に向けて延設されてなる外フィルムに溶着されない狭幅延設フィルムとから構成され、前記狭幅延設フィルムは、少なくとも前記一対の切断手段間の中央部に対応した位置からサイドフィルム本体へ向けて折り返されることにより形成した折返しフィルムを有していることを特徴とする請求項１記載の米飯加工食品用の包装シート。
【請求項３】
前記外フィルムと前記一対のサイドフィルムとの間に形成された収納空間にセンターフィルムが収納されていることを特徴とする請求項１または２記載の米飯加工食品用の包装シート。
【請求項４】
前記センターフィルムは、スポット溶着処理によって外フィルムに溶着されていることを特徴とする請求項３記載の米飯加工食品用の包装シート。
【請求項５】
前記外フィルムと前記一対のサイドフィルムとの間に形成された収納空間にシート状食品が収納されていることを特徴とする請求項１乃至４のいずれかに記載の米飯加工食品用の包装シート。
【請求項６】
請求項１乃至５のいずれかに記載の包装シートに米飯加工食品が包装されてなることを特徴とする包装食品。
【発明の詳細な説明】
【０００１】
【発明の属する技術分野】
本発明は、おにぎり等の米飯加工食品を包装するために用いられる米飯加工食品用の包装シートおよび包装食品に関するものである。
【０００２】
【従来の技術】
従来、図１６の（イ）に示すような、外フィルム１０１と、この外フィルム１０１に重ねられた左右一対の内フィルム１０２とからなるおにぎり（米飯加工食品）包装用の包装シート１００が知られている。この包装シート１００は、溶着処理で外フィルム１０１および各内フィルム１０２の周縁部に溶着部１０３が形成されているとともに、各内フィルム１０２の対向縁部が外フィルム１０１の幅方向の略中央位置で上下に互いに重なり合った状態になっている。外フィルム１０１と一対の内フィルム１０２との間には収納空間Ｖが形成され、当該収納空間Ｖに予め海苔（シート状食品）Ｓを装填し得るようになっている。
【０００３】
外フィルム１０１には、内面側の幅方向の中央部に長手方向に延びるカットテープ１０４が溶着されている。かかる包装シート１００の内フィルム１０２側の中央部に二点鎖線で示すような三角形状のおにぎりＲを載置した状態で各端縁を重ね合わせることにより当該おにぎりＲが包装シート１００によって挟まれた状態になる。さらに包装シート１００の重なり合った各端縁をおにぎりＲの上部側に巻き付け、粘着ラベルＬを巻き付けた部分に貼着することにより当該おにぎりＲが、図１６の（ロ）に示すように、包装シート１００によって包装された状態になる。
【０００４】
そして、おにぎりＲが包装シート１００で包装された状態で、カットテープ１０４の先端部を指で摘んで引っ張ることにより外フィルム１０１が二分割され、これによって包装シート１００から海苔Ｓに包まれたおにぎりＲを取り出すことができるようになっている。
【０００５】
【発明が解決しようとする課題】
ところで、前記のように構成された包装シート１００は、本来的に三角形状にしっかりと握られたおにぎりＲを対象として包装するものであり、内フィルム１０２がおにぎりＲの表面に密着した状態でしっかりと包み込むようになされているため、ふんわりと軟らかく握られた風合いのあるおにぎりＲを包装した場合にはおにぎりＲが変形して固くなり易く、適正に包装することが困難であるばかりか、たとえ包装し得ても解包したときにフィルムとの摩擦でおにぎりＲが割れしまうことがあり、おにぎりＲとしての保形性を維持することが困難で汎用性に欠けるという問題点が存在した。
【０００６】
また、おにぎりＲは、密着状態で包装シート１００に包装されるため、包装シート１００を介しておにぎりＲの形状がそのまま視認され、高級感に欠けるという不都合が存在した。
【０００７】
さらに、従来の包装シート１００にあっては、おにぎりＲを包装した状態でその解包時にカットテープ１０４によって外側シート１０１を分断した後、二つ割れになった包装シート１００の一方側をおにぎりＲから外し、引き続き同他方側をおにぎりＲから外さなければならず、包装シート１００の解包に３ステップもようすることから、解包操作の操作性が劣るという不都合も存在した。
【０００８】
本発明は、上記のような問題点を解消するためになされたものであり、密着させることなく米飯加工食品を包装し得ることで軟らかく握られた米飯加工食品への適用をも可能とするなど汎用性を向上させ、さらに解包操作の操作性を改善した上で、包装食品に高級感を付与し得る米飯加工食品用の包装シートおよび包装食品を提供することを目的としている。
【０００９】
【課題を解決するための手段】
請求項１記載の発明は、米飯加工食品の包装に供される包装シートであって、１枚の外フィルムと、該外フィルムの各側部にそれぞれ重ね合わされて周縁部の適所が外フィルムに溶着される一対のサイドフィルムとが備えられ、前記外フィルムには、略中央部で該外フィルムを横断する２本の切断手段が設けられ、前記一対のサイドフィルムは、各先端部が前記一対の切断手段間で互いに重ね合わされ得るように寸法設定されていることを特徴とする米飯加工食品用の包装シートである。
【００１０】
この発明によれば、２本の切断手段の設けられた位置に米飯加工食品が位置するように当該米飯加工食品を一対のサイドフィルムの対向位置上に載置した状態で米飯加工食品を境にして包装シートを互いに対向する方向へ向けて折り返し、当該包装シートの互いに重なり合った縁部に粘着ラベルを貼着したり、重なり合った縁部に溶着処理を施すことにより、米飯加工食品は包装シートによって包装された状態になる。
【００１１】
このように、米飯加工食品を挟んで包装シートを二つ折りに折り返すことによって当該米飯加工食品を包装し得るようになっているため、従来の包装シートの場合、米飯加工食品が包装シートにより強く巻かれて固くなるいわゆる巻き締り現象が生じるが、本発明の包装シートによればそのような不都合の生じることはなく、米飯加工食品の形状に拘らず常に柔らかく良好に包装することが可能で包装処理の自由度が向上する他、米飯加工食品が固く包まれた場合には解包時に当該米飯加工食品と包装シートとの摩擦で当該米飯加工食品が割れて崩れるような不都合の生じることがあるが、かかる不都合をも確実に回避することができる。
【００１２】
そして、米飯加工食品が包装された状態で、２本の切断手段をそれぞれ外方に向かって引っ張ることにより外フィルムが所定の幅で切断され、米飯加工食品を包装した包装シートの底が抜けた状態になるため、包装シートから米飯加工食品を引き抜くことにより、米飯加工食品を変形させない状態で解包することができる。
【００１３】
これに対し従来の包装シートは、米飯加工食品を強く包み込むいわゆる巻き締り状態で包装するように構成され、たとえ柔らかく握られた米飯加工食品であっても、当該米飯加工食品が従来の包装シートによって包装されると固くなってしまうため、本来的に柔らかく握られた米飯加工食品用として使用することができないばかりか、前記巻き締りでフィルムが米飯加工食品に強く密着していることにより、包装食品の解包時にフィルムと米飯加工食品との間に大きな摩擦力が作用し、これによって米飯加工食品が割れてしまうような不具合が発生するが、本発明の包装シートではそのような不具合の発生を確実に防止することができる。
【００１４】
また、包装シートで余裕をもって米飯加工食品を包装することにより、従来の密着状態で米飯加工食品を包装していた場合に比較して包装食品に高級感を付与することが可能になり、包装食品の商品価値を高める上で有効である。
【００１５】
さらに、米飯加工食品を包装した包装シートの解包操作は、切断手段の引っ張り操作と、この操作で底が抜けた状態となった包装シートから米飯加工食品を抜き出す操作との２ステップですませることができるため、従来の３ステップが必要な包装シートに比べて米飯加工食品の取り出し操作の操作性が改善される。
【００１６】
請求項２記載の発明は、請求項１記載の発明において、前記サイドフィルムは、外フィルムの側部に重ね合わされて周縁部同士が溶着されるサイドフィルム本体と、該サイドフィルム本体から外フィルムの中央部側に向けて延設されてなる外フィルムに溶着されない狭幅延設フィルムとから構成され、前記狭幅延設フィルムは、少なくとも前記一対の切断手段間の中央部に対応した位置からサイドフィルム本体へ向けて折り返されることにより形成した折返しフィルムを有していることを特徴とするものである。
【００１７】
この発明において、外フィルムの側部とは、当該外フィルムにおける端縁部から切断手段が設けられている部位までの領域をいう。この発明によれば、サイドフィルム側が上面になるように包装シートを広げた上で一対に折返しフィルムの対向位置上に米飯加工食品を載置し、引き続き包装シートの二つ折りで当該米飯加工食品を包み込み、包装シートの互いに重なり合った部分に溶着処理等を施すことによって米飯加工食品は包装シートによって包装された状態になる。
【００１８】
そして、包装された米飯加工食品を解包するに際しては、２本の切断手段の１本ずつあるいは双方を摘んで外方に向けて引っ張ればよい。これによって外フィルムは２本の切断手段間が帯状に切断されて底が抜けた状態になるとともに、サイドフィルムの折返しフィルムは元々外フィルムの被切断位置に対応した部分が当接あるいは重ね合わされているだけであるため、米飯加工食品を包装シートから引き抜くことにより、米飯加工食品を包装シートから容易に取り出すことができる。
【００１９】
また、切断手段により切断されて底部が分離された包装シートから米飯加工食品を引き抜くに際し、米飯加工食品に当接しているサイドフィルムの折返しフィルムが下端縁部から順次捲り取られるようになるため、サイドフィルムが米飯加工食品と摺接状態で引き剥がされる場合に比較し、米飯加工食品を包装シートから容易に引き抜くことができる。したがって、米飯加工食品の包装シートからの引き抜き操作時に、米飯加工食品の一部が剥されてサイドフィルムに粘着し、これによる型崩れで解包された米飯加工食品が見苦しくなるような不都合の発生が回避される。
【００２０】
さらに、米飯加工食品が包装された状態で、包装シートは正面視で矩形状になるため、当該包装シートの正面にラベルを貼付する場合、この広い矩形状の正面の全てをラベル貼着用の領域として利用することができ、従来に比べてラベルに記載する情報量を多くすることができる。
【００２１】
請求項３記載の発明は、請求項１または２記載の発明において、前記外フィルムと前記一対のサイドフィルムとの間に形成された収納空間にセンターフィルムが収納されていることを特徴とするものである。
【００２２】
この発明によれば、包装シートで米飯加工食品を包装することにより、米飯加工食品は、サイドフィルムの折返しフィルムを介してセンターフィルムに包まれた状態になるため、包装シートの解包時に切断手段の引っ張り操作で当該包装シートの低部が取り除かれることによって、センターフィルムが外部に露出した状態になる。したがって、センターフィルムの外部に露出した部分を介して米飯加工食品を把持し、引き続き包装シートを上方に引き上げれば、米飯加工食品の側面に接触していた折返しフィルムが捲れるようにして米飯加工食品の側面から離れていき、これによって米飯加工食品が露出した状態になるが、この露出した米飯加工食品は、センターフィルムを介して把持されることになるため、手が直接米飯加工食品に接触することはなく、手が汚れるような不都合が確実に防止される。
【００２３】
請求項４記載の発明は、請求項３記載の発明において、前記センターフィルムは、スポット溶着処理によって外フィルムに溶着されていることを特徴とするものである。
【００２４】
この発明によれば、センターフィルムが外フィルムにスポット溶着されているため、包装シートの製造工程で外フィルムに重ねられたセンターフィルムが位置ずれすることはなく、位置ずれによってセンターフィルムがサイドフィルムと溶着されてしまうような不都合の生じることはなく、不良品の発生を抑えた上で製造操作が容易になる。また、米飯加工食品を包装した包装シートの解包に際し、センターフィルムは外フィルムに対して単にスポット溶着されているだけであるため、外フィルムをセンターフィルムから容易に剥すことができる。
【００２５】
請求項５記載の発明は、請求項１乃至４のいずれかに記載の発明において、前記外フィルムと前記一対のサイドフィルムとの間に形成された収納空間にシート状食品が収納されていることを特徴とするものである。
【００２６】
この発明によれば、米飯加工食品を包装した包装シートを解包することにより、米飯加工食品は、収納空間に収納されていたシート状食品によって包まれた状態で包装シートから取り出される。特に、シート状食品をサイドフィルムとセンターフィルムとの間に挟持させた場合には、包装シートから米飯加工食品を取り出した際にシート状食品がセンターフィルムによって覆われた状態になるため、たとえシート状食品が味付け海苔のように粘りのあるものであっても、当該シート状食品を直接把持しなくてもよく、手が汚れるような不都合が回避される。
【００２７】
請求項６記載の発明は、請求項１乃至５のいずれかに記載の包装シートに米飯加工食品が包装されてなることを特徴とする包装食品である。
【００２８】
この発明によれば、包装シートの内部の米飯加工食品は、包装シートを二つ折りに折り返すことによって包装された状態とされ得るため、米飯加工食品の形状に拘らず包装シートで米飯加工食品を包装することが可能になり、包装処理の自由度を向上させることができる。
【００２９】
また、柔らかく握られた米飯加工食品が包装されるような場合であっても、当該米飯加工食品を包装シートと密着しないように包装することが可能となるため、従来の包装食品のように米飯加工食品を包装シートにより緊縛状態で固く包装したものにあっては、米飯加工食品が包装シートによって四方から強い力で押圧されるいわゆる巻き締り現象が起り、これによって米飯加工食品が固くなって風合いが損なわれるような不具合が生じるが、請求項６の包装食品ではそのような不具合の発生が確実に防止され、柔らかい風合いに富んだ米飯加工食品を得ることができる他、外部から米飯加工食品の形状を隠すことが可能になり、米飯加工食品の形状を視認し得る従来の即物的な包装食品に比べて奥ゆかしく、高級感を醸し出すことができる。
【００３０】
【発明の実施の形態】
図１は、本発明に係る包装シートの第１実施形態を示す分解斜視図であり、図２は、その一部切欠き組み立て斜視図である。また図３は、図２のＡ−Ａ線断面図であり、図４は、包装シートの平面図である。なお、図１〜図３においては厚み寸法を誇張して示している。これらの図に示すように、包装シート１０は、平面視で矩形状を呈した外フィルム２０と、該外フィルム２０に積層される２種類のフィルム（後述するサイドフィルム３１およびセンターフィルム３６）からなる内フィルム３０とを備えた基本構成を有している。
【００３１】
そして、内フィルム３０が外フィルム２０に積層された状態で後述するカットテープ４０の周辺部を除く周縁部に溶着処理による溶着縁部１１（図２および図４に点描で表示）が形成されることにより本実施形態に係る袋状の包装シート１０が形成されている。
【００３２】
本実施形態においては、溶着縁部１１は、カットテープ４０の周辺には形成されていないが、本発明は、カットテープ４０の周辺に溶着縁部１１を形成させないことに限定されるものではなく、カットテープ４０も含めて全体的に溶着縁部１１を設けてもよい。ただしこの場合、カットテープ４０およびその周辺部については、剥し易いように他の部分より弱い接合力で溶着縁部１１を設けるようにすることが好ましい。そして、本実施形態においては、外フィルム２０と内フィルム３０とによって二層構造の本発明に係るフィルム体が構成されている。
【００３３】
そして、当該袋状を呈した包装シート１０の内部に収納空間（シート状食品収納部）Ｖが形成され、この収納空間Ｖに海苔（シート状食品）Ｓを収納し得るようになされている。かかる内フィルム３０の中央部に包装されるべきおにぎりＲを載置するための載置面１２が形成されている。
【００３４】
本実施形態においては、外フィルム２０として方形を呈した当該外フィルム２０の短手方向に向けて一軸延伸処理の施されたポリエチレンやポリプロピレン等からなる透明な合成樹脂フィルムが採用され、これによっておにぎり（米飯加工食品）Ｒが包装シート１０によって包装された状態で収納空間Ｖに収納された海苔Ｓを外部から視認し得るとともに、外フィルム２０をその短手方向に向けて容易に切断し得るようになっている。
【００３５】
かかる包装シート１０は、本実施形態においては、幅寸法が略１４０ｍｍに設定されているとともに、長さ寸法が略２５０ｍｍに設定され、通常の大きさに形状設定された例えば三角形状のおにぎりＲを、内フィルム３０の中央部の載置面１２に載置した後、包装シート１０の長手方向の各側部を上方に向けて折り返しすことにより、包装シート１０の各縁部が互いに重なり合うように寸法設定されている。
【００３６】
前記外フィルム２０には、長手方向の中央部における内フィルム３０に対する対向面に幅方向に横断した一対のカットテープ４０が溶着されている。本実施形態では、一対のカットテープ４０間の距離は略６０ｍｍに設定されている。かかる外フィルム２０のカットテープ４０が設けられている部分の外方側の縁部には、カットテープ４０に隣接して切込み２１がそれぞれ設けられ、おにぎりＲが包装された状態で当該切込み２１間の一対のカットテープ４０を指で摘んで引き剥がすことにより、外フィルム２０は幅方向の全長に亘って分断されるようになっている。
【００３７】
前記内フィルム３０は、外フィルム２０の長手方向の各側部に積層される一対のサイドフィルム３１と、これら一対のサイドフィルム３１と外フィルム２０との間に海苔Ｓを介して挟持されるセンターフィルム３６とからなっている。
【００３８】
前記各サイドフィルム３１は、幅寸法が外フィルム２０の幅寸法と同一に寸法設定されているとともに、長さ寸法が外フィルム２０における端縁とカットテープ４０との間の距離より若干短めに寸法設定されたサイドフィルム本体３２と、と、このサイドフィルム本体３２の幅方向に延びる端縁の中央部から外方に向けて延設されたサイドフィルム本体３２より幅寸法が狭い狭幅延設フィルム３３とからなっている。
【００３９】
前記狭幅延設フィルム３３は、幅寸法が少なくとも溶着縁部１１に掛らないように設定されているとともに、長さ寸法が、サイドフィルム本体３２を各端縁を揃えて外フィルム２０に積層した状態で外フィルム２０の他方の端縁に到達しない寸法（本実施形態では略１５０ｍｍ）に設定されている。
【００４０】
このような狭幅延設フィルム３３は、図１に示すように、幅方向に延びる所定の曲折位置Ｋで上方に向かうように折り返され、これによって形成した基端側の狭幅基端フィルム３４と、先端側の折返しフィルム３５とを備えて構成されている。前記曲折位置Ｋは、一対のサイドフィルム本体３２をそれぞれ外フィルム２０の所定位置に積層した状態で、対向した各狭幅基端フィルム３４の先端部が外フィルム２０のカットテープ４０間において互いに重なり合うように位置設定されている。前記一対の折返しフィルム３５は、おにぎりＲを包んだ包装シート１０の解包時にサイドフィルム３１がおにぎりＲと摺接しておにぎりＲが型崩れするのを防止するためのものである。
【００４１】
そして、本実施形態においては、サイドフィルム３１としてエンボス処理（凹凸形成処理）やマット処理（艶消し処理）、さらにはシリコン等を含有する低摩擦化剤の塗布処理等の施された合成樹脂製のフィルムが採用されている。かかる処理の施されたフィルムをサイドフィルム３１として用いることにより、おにぎりＲはサイドフィルム３１に付着し難くなり、これによっておにぎりＲを包んだ包装シート１０の開包が容易に行われるようにしている。
【００４２】
前記センターフィルム３６は、図１に示すように、海苔Ｓより若干平面寸法が小さく設定された矩形状の合成樹脂製のフィルムによって形成されている。かかるセンターフィルム３６は、包装シート１０が解包されたときにおにぎりＲの海苔Ｓ面を覆うものであり、海苔Ｓが醤油などの味付け剤によって味付けされたものである場合、当該味付け剤の粘り気が手に付着しないようにするためのものである。
【００４３】
そして、このようなセンターフィルム３６は、図３に示すように、スポット溶着処理によって形成されたスポット溶着部１３を介して外フィルム２０に接合され、これによって包装シート１０の製造時に外フィルム２０に対する位置ずれが生じないようになされるとともに、おにぎりＲを包装した包装シート１０の解包時に外フィルム２０から容易に分離され得るようになされている。本実施形態においてはスポット溶着部１３は、図４に示すように、一対のカットテープ４０の直内側位置であって、外フィルム２０の短手方向の中央部にそれぞれ設けられているが、スポット溶着部１３の形成個数および形成位置については特に限定はなく、１つでもよいし３つ以上であってもよく、これらのスポット溶着部１３が状況に応じて適宜の位置に設けられる。
【００４４】
以下、かかる包装シート１０によるおにぎりＲの包装処理について説明する。図５および図６は、包装シート１０によるおにぎりＲの包装処理を説明するための説明図であり、図５の（イ）は、包装シート１０の載置面１２におにぎりＲを載置した状態を示す斜視図、図５の（ロ）は、包装シート１０の両側部をおにぎりＲに向けて折り起した状態を示す斜視図、図５の（ハ）は、図５の（ロ）のＢ−Ｂ線断面図であり、図６の（イ）は、両側部がおにぎりＲに向けて折り起された包装シート１０の対向縁部に溶着処理が施されつつある状態を示す斜視図、図６の（ロ）は、包装シート１０によるおにぎりＲの包装が完了した状態を示す斜視図である。
【００４５】
おにぎりＲを包装するに際しては、まず、図５の（イ）に示すように、外フィルム２０を下側にして平置きされた包装シート１０の折返しフィルム３５からなる載置面１２におにぎりＲを載置する。引き続き、図５の（ロ）および（ハ）に示すように、包装シート１０の両端部をおにぎりＲに向けてそれぞれ折り起す。こうすることによっておにぎりＲは、載置面１２に載置された状態で両側面が一対のサイドフィルム３１の各折返しフィルム３５に当接した状態になる。
【００４６】
ついで、図６の（イ）に示すように、包装シート１０の互いに対向した縁部を重ね合わせた状態で、当該縁部に所定の装置を用いて矢印で示すように溶着処理を施す。こうすることによっておにぎりＲは包装シート１０によって順次包装されていく。図６において、溶着処理を施した部分は点描で示している。
【００４７】
なお、本実施形態ではこの溶着処理において、カットテープ４０の近傍については、切込み２１を外して若干内側に入る込んだ位置にカットテープ４０を跨いだ状態の溶着部１１ａが設けられている。この溶着部１１ａは、上下の端部がカットテープ４０を境にした上下の溶着縁部１１と連結され、これによっておにぎりＲを包んだ包装シート１０内が密封状態になっている。また、切込み２１が設けられた部分の対向した外フィルム２０間には溶着処理が施されていないため、カットテープ４０を摘持して行う包装シート１０の解包操作に支障が生じることはない。
【００４８】
そして、重ね合わされた包装シート１０の縁部の溶着処理が完了すると、図６の（ロ）に示すように、おにぎりＲの包装シート１０による包装が完了して形成された包装食品Ｒ１が得られる。
【００４９】
そして、おにぎりＲが包装シート１０により包装されて包装食品Ｒ１が形成した状態では、図６の（ロ）に示すように、おにぎりＲはその全面が包装シート１０の内面に密着するようなことはなく、特に包装シート１０内の上部に余裕の空間が形成されているため、従来の密着状態でおにぎりＲを包装する包装シートに比べて被包装状態がゆったりし、たとえおにぎりＲが柔らかくにぎられたものであってもその柔らかさを維持し得ることができるばかりか、おにぎりＲを包装した包装食品Ｒ１に高級感が付与される。
【００５０】
つぎに、上記のようにして包装されたおにぎりＲの解包について説明する。図７および図８は、おにぎりＲの包装シート１０からの解包を説明するための説明図であり、図７の（イ）は、包装シート１０が解包される前の状態、図７の（ロ）は、カットテープ４０を引き剥がすことにより外フィルム２０が切断されつつある状態、図７の（ハ）は、外フィルム２０が切断されることによりその下部が取り除かれた状態をそれぞれ示す正面視の断面図であり、図８の（イ）は、上下に分離した包装シート１０の上方部分を摘み上げている状態を示す説明図、図８の（ロ）は、包装シート１０の上方部分が取り外されることによって海苔Ｓに包まれたおにぎりＲが外部に露出した状態を示す斜視図である。なお、図７および図８において、沿え字の▲１▼は側面視の断面図であり、沿え字の▲２▼は、沿え字▲１▼の図のＣ−Ｃ線断面図である。
【００５１】
おにぎりＲを包装することによって形成された包装食品Ｒ１を解包するに際しては、まず、一方の手で包装シート１０の上部切断シート１０ｂとなる部分（カットテープ４０より上方位置）を介して内部のおにぎりＲを把持しながら、図７の（イ）に示す一方の切断用始点角部１４を他方の手の指で摘持し、当該切断用始点角部１４を下方に向けて引っ張る。こうすることによって外フィルム２０は、まず切込み２１に誘導され、その後、図７の（ロ）に示すように、一対のカットテープ４０に案内されつつ切断され、これによって包装シート１０は、下部切断シート１０ａと上部切断シート１０ｂとに分離していく。このとき、スポット溶着部１３（図７の（イ）−▲２▼）が外フィルム２０側とセンターフィルム３６側とに分断される。
【００５２】
そして、全長に亘ってカットテープ４０が包装シート１０から引き剥がされることにより、包装シート１０は、図７の（ハ）に示すように、下部切断シート１０ａが取り除かれて上部切断シート１０ｂのみとなる。この状態では、図７の（ハ）−▲２▼に示すように、おにぎりＲの下部は、一番内側の内フィルム３０、中間の海苔Ｓおよび一番外側のセンターフィルム３６のみによって覆われ、この部分にはすでに外フィルム２０は存在しない状態になっている。したがって、外部に露出しているセンターフィルム３６を介しておにぎりＲを把持することが可能であり、たとえ海苔Ｓが醤油等の調味料で粘っていても、この粘りが手に付着するような不都合が回避される。
【００５３】
ついで、図８の（イ）に示すように、一方の手で上部切断シート１０ｂの頂部を摘持する一方、他方の手でおにぎりＲの下部をセンターフィルム３６を介して把持した状態で、おにぎりＲを下方に向けて引き抜くことにより、おにぎりＲが上部切断シート１０ｂから取り出されることになる。このおにぎりＲの引き抜き操作において、サイドフィルム３１の折返しフィルム３５がおにぎりＲに接触した状態になっているため、図８の（イ）−▲２▼に示すように、折返しフィルム３５はめくれるようにしておにぎりＲから剥がれていき、これによっておにぎりＲが割れたりして型崩れするような不都合は生じない。
【００５４】
すなわち、折返しフィルム３５が存在しない場合には、サイドフィルム３１がおにぎりＲと摺接しながら剥がれていくため、この摺接でおにぎりＲが型崩れするような不都合の生じることがあるが、折返しフィルム３５の存在でかかる不都合は生じないのである。
【００５５】
したがって、たとえ折返しフィルム３５がおにぎりＲに粘着しているような場合であっても、折返しフィルム３５が擦れ合いながらおにぎりＲから剥がれるようなことは起らず、これによっておにぎりＲが割れるような不都合を回避した上で狭幅延設フィルム３３を海苔ＳとおにぎりＲとの間からスムーズに引き抜くことができる。
【００５６】
おにぎりＲから上部切断シート１０ｂが取り除かれると、図８の（ロ）に示すように、おにぎりＲは、二つ折れになった海苔Ｓによって挟持された状態になるとともに、当該海苔Ｓの外面にセンターフィルム３６が積層された状態になっているため、おにぎりＲを把持しても手が汚れるようなことはない。そして、一方の手でセンターフィルム３６を介しておにぎりＲを把持しつつ、他方の手で海苔ＳをおにぎりＲに巻き付けることにより、海苔Ｓで巻かれたおにぎりＲが仕上ることになる。
【００５７】
図９は、本発明に係る包装シートの第２実施形態を示す斜視図であり、図１０はそのＤ−Ｄ線断面図である。これらの図に示すように、第２実施形態の包装シート１０′は、一方のカットテープ４０と当該カットテープ４０側の端縁との間の距離（第１長さ寸法Ｌ１）が、他方のカットテープ４０と当該カットテープ４０側の端縁との間の距離（第２長さ寸法Ｌ２）より小さく（Ｌ１＜Ｌ２）寸法設定されているとともに、これに応じて左右のサイドフィルム３１の寸法も異ならせている。因みに、本実施形態においては、第１長さ寸法Ｌ１は略９０ｍｍに寸法設定されている一方、第２長さ寸法Ｌ２は略９６ｍｍに寸法設定されている。
【００５８】
また、第２実施形態の包装シート１０′は、外フィルム２０の縁部が切り込まれて形成される切込み２１が各カットテープ４０の端部を挟んでそれぞれ一対で設けられている点が第１実施形態の包装シート１０と相違している。第２実施形態の包装シート１０′のその他の構成については先の実施形態のものと同様である。
【００５９】
第２実施形態の包装シート１０′によれば、おにぎりＲが当該包装シート１０′によって包装されて包装食品Ｒ１が形成されることにより、図１１に示すように、一対のカットテープ４０は上下で互いに位置ずれし、これによって各カットテープ４０はそれぞれ摘み易くなっているとともに、切込み２１がカットテープ４０を挟んでそれぞれ一対で設けられているため、まず一方のカットテープ４０を摘んでこの部分の外フィルム２０を切断し、引き続き他方のカットテープ４０を摘んでこの部分の外フィルム２０を切断することにより、包装シート１０′を下部切断シート１０ａと上部切断シート１０ｂとに容易に分離することができる。
【００６０】
以下、おにぎりＲが第２実施形態の包装シート１０′により包装されて得られた包装食品Ｒ１の解包について図１２および図１３を基にさらに詳細に説明する。図１２は、おにぎりＲの包装シート１０′からの解包を説明するための説明図（図１１のＥ−Ｅ線断面図）であり、（イ）は、一方（右側）のカットテープ４０が外されつつある状態、（ロ）は、他方（左側）のカットテープ４０が外されつつある状態をそれぞれ示している。また、図１３もおにぎりＲの包装シート１０′からの解包を説明するための説明図であり、（イ）は、上下に分離した包装シート１０′の上方部分を摘み上げている状態を示す説明図、（ロ）は、包装シート１０′の上方部分が取り外されることによって海苔Ｓに包まれたおにぎりＲが外部に露出した状態を示す斜視図である。なお、図１３の（イ）において、沿え字の▲１▼は側面視の断面図であり、沿え字の▲２▼は、沿え字▲１▼の図のＦ−Ｆ線断面図である。
【００６１】
包装食品Ｒ１を解包するに際しては、当該包装食品Ｒ１のカットテープ４０より下方側を一方の手で把持した状態で、まず、図１２の（イ）に示すように、他方の手で一方（図示の例では右方）のカットテープ４０を摘持し、外方に向けて引っ張る。こうすることによって外フィルム２０の一方の側面側（図示の例では右側）が切断される。
【００６２】
引き続き、図１２の（ロ）に示すように、他方のカットテープ４０を摘持し当該カットテープ４０を外方に向けて引っ張って外フィルム２０の他方の側面側を切断する。こうすることで外フィルム２０の他方の側面側が切断され、これによって包装シート１０′は、下部切断シート１０ａと上部切断シート１０ｂとに分断される。
【００６３】
ついで、図１３の（イ）に示すように、一方の手で上部切断シート１０ｂの頂部を摘持し、他方の手でおにぎりＲの下部を把持した状態で、おにぎりＲを下方に向けて引き抜くことにより、おにぎりＲが上部切断シート１０ｂから取り出されることになる。この場合の折返しフィルム３５の作用は先の実施形態と同様であり、たとえ折返しフィルム３５がおにぎりＲに粘着しているような場合であっても、当該折返しフィルム３５はめくれるようにしておにぎりＲから離れていくため、おにぎりＲが割れるような不都合を回避した上でサイドフィルム３１を海苔ＳとおにぎりＲとの間からスムーズに引き抜くことができる。
【００６４】
本発明の包装シート１０，１０′は、以上詳述したように、１枚の外フィルム２０と、該外フィルム２０の各側部にそれぞれ重ね合わされて周縁部の適所が外フィルム２０に溶着される一対のサイドフィルム３１とを備えて構成されるものであり、外フィルム２０には、略中央部で該外フィルム２０を横断する２本のカットテープ４０が設けられ、一対のサイドフィルム３１は、各先端部が前記一対のカットテープ４０間で互いに重ね合わされ得るように寸法設定されてなるものであるため、２本のカットテープ４０の設けられた位置におにぎりＲが位置するように当該おにぎりＲを一対のサイドフィルム３１の対向位置（具体的には一対の折返しフィルム３５の重なり合っている部分）上に載置した状態でおにぎりＲを境にして包装シート１０，１０′を互いに対向する方向へ向けて折り返し、当該包装シート１０，１０′の互いに重なり合った縁部に溶着処理を施すことにより、おにぎりＲを包装シート１０，１０′によって包装された状態にすることができる。
【００６５】
このように、おにぎりＲを挟んで包装シート１０，１０′を二つ折りに折り返すことによって当該おにぎりＲを包装し得るようになっているため、おにぎりＲの形状に拘らず包装シート１０，１０′でおにぎりＲを包装することが可能になり、包装処理の自由度が向上する他、柔らかく握られたおにぎりＲが包装されるような場合であっても、密着しないように包装シート１０，１０′でおにぎりＲを包むことができるため、柔らかいおにぎりＲの風合いを確実に確保することができる。
【００６６】
そして、おにぎりＲが包装された状態で、２本のカットテープ４０をそれぞれ外方に向かって引っ張ることにより外フィルム２０が所定の幅で切断され、おにぎりＲを包装した包装シート１０，１０′の底が抜けた状態になるため、上部切断シート１０ｂから露出したおにぎりＲの下部を把持して当該おにぎりＲを上部切断シート１０ｂから引き抜くことにより、おにぎりＲを変形させない状態で取り出すことができる。
【００６７】
したがって、おにぎりを巻き締り状態で包装するものであって、外フィルム２０を縦方向に２分割して左右に引き剥がすことによっておにぎりＲを取り出す従来の包装シートの場合は、フィルムがおにぎりに強く密着していることにより、包装食品の解包時にフィルムとおにぎりとの間に大きな摩擦力が作用し、これによっておにぎりが割れるような不具合の生じることがあるが、本発明の包装シート１０，１０′ではそのような不具合は生じない。
【００６８】
また、包装シート１０，１０′で余裕をもっておにぎりＲを包装することにより、従来の密着状態でおにぎりＲを包装していた場合に比較して包装食品に高級感を付与することが可能になり、包装食品の商品価値を高める上で有効である。
【００６９】
また、サイドフィルム３１を、外フィルム２０の側部に重ね合わされて周縁部同士が溶着されるサイドフィルム本体３２と、該サイドフィルム本体３２から外フィルム２０の中央部側に向けて延設されてなる外フィルム２０に溶着されない狭幅延設フィルム３３とから構成し、狭幅延設フィルム３３を一対のカットテープ４０間の中央部に対応した位置からサイドフィルム本体３２へ向けて折り返すことにより折返しフィルム３５を形成させるようにしているため、サイドフィルム３１側が上面になるように包装シート１０，１０′を広げた上で一対に折返しフィルム３５の対向位置上におにぎりＲを載置し、引き続き包装シート１０，１０′の二つ折りで当該おにぎりＲを包み込み、包装シート１０，１０′の互いに重なり合った部分に溶着処理を施すことによっておにぎりＲを包装シート１０，１０′によって包装された状態にすることができる。
【００７０】
そして、包装されたおにぎりＲを解包するに際しては、各カットテープ４０を外方に向けて引っ張ればよい。これによって外フィルム２０は２本のカットテープ４０間が帯状に切断されて底が抜けた状態になるとともに、サイドフィルム３１の折返しフィルム３５は元々外フィルム２０の被切断位置に対応した部分が重ね合わされているだけであるため、外フィルム２０の切断後に上部切断シート１０ｂからおにぎりＲを引き抜くことにより、おにぎりＲを包装シート１０，１０′から取り出すことができる。
【００７１】
また、上部切断シート１０ｂからおにぎりＲを引き抜くに際し、おにぎりＲに当接しているサイドフィルム３１の折返しフィルム３５が下端縁部から順次捲り取られるようになるため、サイドフィルム３１がおにぎりＲと摺接状態で引き剥がされる場合に比べておにぎりＲは包装シート１０，１０′から抵抗なく容易に引き剥がされる。したがって、おにぎりＲの包装シート１０，１０′からの引き抜き操作時に、おにぎりＲの一部が剥されてサイドフィルム３１に粘着し、これによる型崩れで解包されたおにぎりＲが見苦しくなるような不都合の発生を確実に防止することができる。
【００７２】
さらに、おにぎりＲが包装された状態で、包装シート１０，１０′は正面視で大きな矩形状になるため、当該包装シート１０，１０′の正面に大きなラベルを貼付することができ、これによってラベルに記載される情報量を従来に比べて多くすることができる。
【００７３】
また、外フィルム２０と一対のサイドフィルム３１との間に形成された収納空間Ｖにセンターフィルム３６が収納されているため、包装シート１０，１０′でおにぎりＲを包装することにより、おにぎりＲは、サイドフィルム３１の折返しフィルム３５を介してセンターフィルム３６に包まれた状態になる。そして、包装シート１０，１０′の解包時にカットテープ４０の引っ張り操作で当該包装シート１０，１０′の低部が取り除かれることによって、センターフィルム３６が外部に露出した状態になるため、センターフィルム３６の外部に露出した部分を介しておにぎりＲを把持して上部切断シート１０ｂから引き抜くことにより、おにぎりＲの側面に接触していた折返しフィルム３５が捲れるようにしておにぎりＲの側面から離れていき、これによっておにぎりＲが露出した状態になるが、この露出したおにぎりＲは、センターフィルム３６を介して把持されるため、手が直接おにぎりＲに接触することはなく、手が汚れたり、逆におにぎりＲが手で汚染されるような不都合を確実に防止することができる。
【００７４】
そして、センターフィルム３６は、スポット溶着処理が施されることによりスポット溶着部１３を介してフィルム２０に接合されているため、包装シート１０，１０′の製造工程で外フィルム２０に重ねられたセンターフィルム３６が位置ずれすることはなく、位置ずれによって例えばセンターフィルム３６がサイドフィルム３１と溶着されてしまうような不都合の生じることはなく、不良品の発生を抑えた上で製造操作が容易になる。また、おにぎりＲを包装した包装シート１０，１０′の解包に際しては、センターフィルム３６は外フィルム２０に対して単にスポット溶着されているだけであるため、外フィルム２０をセンターフィルム３６から容易に剥すことができる。
【００７５】
さらに、前記収納空間Ｖに予め海苔Ｓを収納しておくことにより、おにぎりＲを包装した包装シート１０，１０′を解包することによって、おにぎりＲは収納空間Ｖに収納されていた海苔Ｓによって包まれた状態で包装シート１０，１０′から取り出すことができ、別途用意された海苔Ｓを一々おにぎりＲに巻き付ける場合に比較し便利である。
【００７６】
特に、海苔Ｓをサイドフィルム３１とセンターフィルム３６との間に挟持させた場合には、包装シート１０，１０′からおにぎりＲを取り出した際に海苔Ｓがセンターフィルム３６によって覆われた状態になるため、たとえ海苔Ｓが味付け海苔のように粘りのあるものであっても、当該海苔Ｓを直接把持しなくてもよく、手が汚れるような不都合を防止することができる。
【００７７】
かかる包装シート１０，１０′によっておにぎりＲが包装されてなる包装食品Ｒ１は、おにぎりＲの形状に拘らず当該おにぎりＲを包装することが可能になり、包装処理の自由度を向上させることができる。
【００７８】
また、柔らかく握られたおにぎりＲが包装されるような場合であっても、当該おにぎりＲを包装シート１０，１０′と密着しないように包装することが可能であるため、従来の包装食品のようにおにぎりＲを包装シート１０，１０′により緊縛状態で固く包装したものにあっては、おにぎりＲが包装シート１０，１０′によって四方から強い力で押圧されるいわゆる巻き締り現象が起り、これによっておにぎりＲが固くなって風合いが損なわれるような不具合が生じるが、本発明に係る包装食品Ｒ１ではそのような不具合の発生が確実に防止され、柔らかい風合いに富んだおにぎりＲを得ることができる他、外部からおにぎりＲの形状を隠すことが可能になり、おにぎりＲの形状を視認し得る従来の即物的な包装食品に比べて奥ゆかしく、高級感を醸し出すことができる。
【００７９】
以下、図１４を基に包装シート１０の製造について説明する。図１４は、包装シート１０の製造を説明するための包装シート製造装置５０の模式化された斜視概念図である。なお、この図においては、包装シート１０，１０′の製造を理解し易いように概念的に包装シート製造装置５０を示しているため、実際の装置とは細部で相違している場合もある。
【００８０】
包装シート製造装置５０は、図１４に示すように、外フィルム２０が巻成されてなる外フィルムロール９１を軸支するための第１支持軸５１と、センターフィルム３６が巻成されてなるセンターフィルムロール９２を軸支するための第２支持軸５２と、一方のサイドフィルム３１が巻成されてなる第１サイドフィルムロール９３を軸支するための第３支持軸５３と、他方のサイドフィルム３１が巻成されてなる第２サイドフィルムロール９４を軸支するための第４支持軸５４と、カットテープ４０が巻成されてなる一対のカットテープロール９５を軸支するための第５支持軸５５とを備えて構成されている。
【００８１】
第５支持軸５５は、第１支持軸５１の若干下流側（図９の右方）の上方位置に第１支持軸５１と平行に設けられ、外フィルムロール９１から水平に引き出された外フィルム２０に、当該第５支持軸５５から下方に向かって引き出された一対のカットテープ４０が熱ローラ５５ａを介して押圧されるようになっている。したがって、外フィルム２０が外フィルムロール９１から順次引き出されることにより、一対のカットテープ４０が熱ローラ５５ａからの熱を得て外フィルム２０の内面（図１４における上面）に順次溶着されていくことになる。
【００８２】
かかる一対のカットテープロール９５は、上記第１実施形態の包装シート１０を製造する場合、外フィルムロール９１から引き出された外フィルム２０の幅方向の中央部における対称位置に所定距離だけ離間して第５支持軸５５にそれぞれ軸支されている一方、上記第２実施形態の包装シート１０′を製造する場合には、外フィルム２０の幅方向の中心位置からそれぞれ同一方向に若干偏心した位置で第５支持軸５５に軸支されている。
【００８３】
センターフィルムロール９２を軸支する第２支持軸５２は、第５支持軸５５の下流側であって外フィルム２０の上方位置に設けられている。センターフィルムロール９２は、該センターフィルムロール９２から引き出されたセンターフィルム３６が外フィルムロール９１から引き出された外フィルム２０の中央部に対応するように第２支持軸５２への軸支位置が設定されている。かかるセンターフィルム３６は、第１変位ローラ５２ａを介して外フィルム２０の表面に供給されるようになっている。
【００８４】
一方のサイドフィルム３１を軸支する第３支持軸５３は、センターフィルムロール９２用の第２支持軸５２より下流側であって、引き出されつつある外フィルム２０の上方位置に第１支持軸５１と平行に設けられているとともに、他方のサイドフィルム３１を軸支する第４支持軸５４は、第３支持軸５３のさらに下流側の略同一高さ位置に第１支持軸５１と平行に設けられている。
【００８５】
これら第３および第４支持軸５４，５４に軸支された第１および第２サイドフィルムロール９３，９４は、外フィルム２０が引き出される方向から見た正面視で略９５％ずつが互いに重なり合うように装着位置が設定されている。
【００８６】
そして、第３支持軸５３の下方位置であって、引き出された外フィルム２０より若干上方位置には、第２変位ローラ５３ａが設けられているとともに、第４支持軸５４の下方位置には同様の第３変位ローラ５４ａが設けられ、第１および第２サイドフィルムロール９３，９４は、これら第２および第３変位ローラ５３ａ，５４ａによって外フィルム２０と平行に変位（方向変換）されるようになされている。
【００８７】
そして、第１変位ローラ５２ａの直下流位置には、センターフィルムロール９２から引き出されたセンターフィルム３６を所定ピッチで切断し、切断されて矩形状になったセンターフィルム３６を、所定の時間ピッチで外フィルム２０上に供給するとともに、スポット溶着処理で当該センターフィルム３６を外フィルム２０に接合するセンターフィルム加工装置６１が設けられている。
【００８８】
したがって、外フィルム２０およびセンターフィルム３６がセンターフィルム加工装置６１を通過することにより、未だ切断されていない外フィルム２０の上面には、幅方向の中央位置で一対のカットテープ４０を覆った矩形状のセンターフィルム３６が所定ピッチで順次積層されるとともに、センターフィルム３６が外フィルム２０にスポット溶着部１３を介して外フィルム２０に接合されることになる。
【００８９】
センターフィルム加工装置６１と第２変位ローラ５３ａとの間には、海苔装填機構６０が設けられている。この海苔装填機構６０は、貯留されている海苔Ｓを１枚ずつセンターフィルム３６に被せていくものであり、外フィルム２０の引出し速度に同期して海苔Ｓが当該外フィルム２０に１枚ずつ供給されるようになっている。
【００９０】
そして、第２変位ローラ５３ａの直下流側には第１折畳み装置６２が設けられているとともに、第３変位ローラ５４ａの直下流側には第２折畳み装置６３が設けられ、これら第１および第２折畳み装置６２，６３での切断処理によって各サイドフィルム３１にサイドフィルム本体３２および狭幅延設フィルム３３（図１）が形成されるとともに、各狭幅延設フィルム３３は曲折位置Ｋ（図１）でサイドフィルム本体３２側へ折り返され、これによってサイドフィルム３１に折返しフィルム３５が形成されることになる。
【００９１】
また、第２折畳み装置６３の下流側には、溶着裁断装置６４が設けられている。この溶着裁断装置６４は、海苔Ｓを挟持した外フィルム２０およびサイドフィルム本体３２に対して溶着縁部１１（図２）を形成させるべく溶着処理を施すとともに、溶着済みの外フィルム２０およびサイドフィルム３１に対して所定のカッター６４ａで幅方向に裁断し、これによって包装シート１０，１０′を順次形成させるためのものである。
【００９２】
前記カッター６４ａは、帯状の外フィルム２０を横断する長さ寸法を有し、順次送られてくる外フィルム２０および内フィルム３０に対して所定の時間ピッチで昇降して外フィルム２０および内フィルム３０に対して裁断処理を施すことにより、収納空間Ｖ（図２）に海苔Ｓの収納された包装シート１０，１０′が順次製造されるようになっている。なお、カットテープ４０に隣接して包装シート１０，１０′に設けられる切込み２１もカッター６４ａによるカッティング処理時に形成される。
【００９３】
そして、溶着裁断装置６４で裁断されることによって形成した包装シート１０，１０′は、中継コンベヤ６５によって次工程である包装工程７０に送り込まれ、この包装工程７０でおにぎりＲが包装シート１０，１０′によって包装され、これによって図６の（ロ）に示すような包装食品Ｒ１を順次製造することができる。なお、包装工程７０は、包装シート製造装置５０に隣設されるものに限らず、地理的に離間した場所に設定されていてもよい。この場合、包装シート製造装置５０で製造された包装シート１０は、運送車両等の移送手段を用いて包装工程７０へ移送されることになる。
【００９４】
このように構成された包装シート製造装置５０によれば、第１支持軸５１に支持された外フィルムロール９１から外フィルム２０を所定の速度で引き出すとともに、カットテープロール９５、センターフィルムロール９２、第１サイドフィルムロール９３および第２サイドフィルムロール９４から外フィルム２０と同一速度でカットテープ４０、センターフィルム３６、各サイドフィルム３１をそれぞれ引き出すとともに、海苔装填機構６０によって海苔Ｓを外フィルム２０に供給することにより、センターフィルム加工装置６１、第１折畳み装置６２、第２折畳み装置６３および第２折畳み装置６３の所定の動作で自動的且つ連続的に海苔Ｓの内装された包装シート１０，１０′が製造され、製造コストの低減化に寄与することができる。
【００９５】
本発明は、上記の実施形態に限定されるものではなく、以下の内容をも包含するものである。
【００９６】
（１）上記の実施形態においては、外フィルム２０とサイドフィルム３１との間に手掴みシートとしてのセンターフィルム３６が介設されているが、海苔Ｓがそれほど粘らない場合など、状況に応じて当該センターフィルム３６の介設を省略してもよい。
【００９７】
（２）上記の実施形態においては、切断手段としてカットテープ４０が採用されているが、本発明は、切断手段がカットテープ４０であることに限定されるものではなく、外フィルム２０を縦断するように設けられたミシン目であってもよいし、外フィルム２０がその短手方向に向けて一軸延伸処理の施された合成樹脂製のフィルムによって形成されている場合には、外フィルム２０そのものに切断手段が内在しているということができる。
【００９８】
（３）上記の実施形態においては、サイドフィルム３１に折返しフィルム３５が設けられているが、この折返しフィルム３５を省略し、サイドフィルム３１をサイドフィルム本体３２と、狭幅基端フィルム３４とのみによって構成してもよい。
【００９９】
（４）上記の実施形態においては、図１４に示すような包装シート製造装置５０を用いて予め外フィルム２０上のセンターフィルム３６とサイドフィルム３１との間に海苔Ｓを挟持させ、その後の溶着裁断装置６４を用いた溶着・裁断処理で海苔Ｓの内装された包装シート１０，１０′を製造しているが、これに代えて海苔Ｓを予め内装することなく包装シート１０，１０′を製造し、得られた包装シート１０，１０′の収納空間Ｖに後から海苔Ｓを装填するようにしてもよい。
【０１００】
（５）上記の実施形態においては、外フィルムロール９１から引き出された長尺の外フィルム２０に一対のサイドフィルム３１が積層された状態で溶着・裁断処理が施されることにより包装シート１０，１０′を製造するようにしているが、こうする代わりに予め裁断された外フィルム２０に予め裁断されたサイドフィルム３１およびセンターフィルム３６を積層し、その後外フィルム２０およびサイドフィルム３１に溶着処理を施して包装シート１０，１０′を製造するようにしてもよい。
【０１０１】
（６）上記の実施形態においては、おにぎりＲを包装シート１０，１０′で包んだ後に当該包装シート１０，１０′の重なった縁部に溶着処理を施すことによっておにぎりＲを包装するようにしているが、これに代えてこの包装シート１０，１０′の重なった縁部に粘着シールを貼設することによっておにぎりＲを包装してもよい。
【０１０２】
（７）上記の実施形態においては、おにぎりＲを包んだ包装シート１０，１０の縁部に溶着縁部１１および溶着部１１ａが形成されているが、本発明は、溶着部１１ａの形成は必須ではなく、特に設けなくてもよい。
【０１０３】
（８）上記の第１実施形態の包装シート１０においては、外フィルム２０には、各カットテープ４０の外側位置に各１つずつの切込み２１が設けられているが、こうする代わりに第２実施形態の包装シート１０′と同様に、各カットテープ４０の両サイドにそれぞれ一対の切込み２１を設けるようにしてもよい。このようにした場合には、包装シート１０の解包に当り、図６に示すような切断用始点角部１４を摘持して下部切断シート１０ａを下方に引く解包方法に代えて、図１２に示すようなカットテープ４０を摘持して引っ張る解包方法を採用することができる。そしてこの場合、一対のカットテープ４０の他方の各端部は溶着部１１ａ（図６）によって一体化されているため、一方側のカットテープ４０の端部のみを摘持して引っ張りながら包装食品Ｒ１の周りを水平方向に向けて１周させるという１アクションで包装シート１０を下部切断シート１０ａと上部切断シート１０ｂとに分断することができる。
【０１０４】
（９）図１５は、外フィルム２０′の他の実施形態を示す図であり、（イ）は平面図、（ロ）は部分拡大斜視図である。この実施形態の外フィルム２０′は、長尺側の一方の縁部におけるカットテープ４０が設けられる位置に、図１５の（イ）に示すような一対の摘持用突片２２を有している。切込み２１は、カットテープ４０を挟むようにして摘持用突片２２に設けられている。
【０１０５】
長尺側の他方の縁部には、これら一対の摘持用突片２２に対応した凹部２３が設けられているが、これらは、上記包装シート製造装置５０（図１４）で包装シート１０，１０′を製造するに際し、外フィルムロール９１から引き出された長尺のフィルムが溶着裁断装置６４で切断処理されることによって必然的に形成されるものである。
【０１０６】
この実施形態の外フィルム２０′によれば、おにぎりＲが包装シート１０′によって包装された状態で、摘持用突片２２が外フィルム２０′から外方に向けて突出しているため、解包操作時に当該摘持用突片２２を摘み易く、これによって解包操作が容易になる。特に第２実施形態の包装シート１０′に摘持用突片２２が適用されると、一対の摘持用突片２２のそれぞれが互いに段違いで外フィルム２０′から突出されるため、各摘持用突片２２はさらに摘み易くなり、解包操作の容易性が向上する。
【０１０７】
【発明の効果】
本発明に係る米飯加工食品用の包装シートによれば、１枚の外フィルムと、該外フィルムの各側部にそれぞれ重ね合わされて周縁部の適所が外フィルムに溶着される一対のサイドフィルムとからなり、外フィルムには、略中央部で該外フィルムを横断する２本の切断手段が設けられ、一対のサイドフィルムは、各先端部が前記一対の切断手段間で互いに重ね合わされ得るように寸法設定されているため、２本の切断手段の設けられた位置に米飯加工食品が位置するように当該米飯加工食品を一対のサイドフィルムの対向位置上に載置した状態で米飯加工食品を境にして包装シートを互いに対向する方向へ向けて折り返し、当該包装シートの互いに重なり合った縁部に粘着ラベルを貼着したり、重なり合った縁部に溶着処理を施すことにより、米飯加工食品を容易に包装シートによって包装された状態にすることができる。
【０１０８】
このように、米飯加工食品を挟んで包装シートを二つ折りに折り返すことによって当該米飯加工食品を包装し得るようになっているため、米飯加工食品の形状に拘らず包装シートで米飯加工食品を包装することが可能になり、包装処理の自由度が向上する他、柔らかく握られた米飯加工食品が包装されるような場合であっても、米飯加工食品が変形するような不都合を確実に回避することができる。
【０１０９】
そして、米飯加工食品が包装された状態で、２本の切断手段をそれぞれ外方に向かって引っ張ることにより外フィルムが所定の幅で切断され、米飯加工食品を包装した包装シートの底が抜けた状態になるため、包装シートから米飯加工食品を引き抜くことにより、米飯加工食品を変形させない状態で解包することができる。
【０１１０】
また、包装シートで余裕をもって米飯加工食品を包装することにより、従来の密着状態で米飯加工食品を包装していた場合に比較して包装食品に高級感を付与することが可能になり、包装食品の商品価値を高める上で極めて有効である。
【０１１１】
さらに、米飯加工食品を包装した包装シートの解包操作は、切断手段の引っ張り操作と、この操作で底が抜けた状態となった包装シートから米飯加工食品を抜き出す操作との２ステップですませることができるため、従来の３ステップが必要な包装シートに比べて米飯加工食品の取り出し操作の操作性を大幅に向上させることができる。
【０１１２】
本発明の包装食品によれば、前記包装シートに米飯加工食品が包装されて形成されているため、米飯加工食品の形状に拘らず包装シートで米飯加工食品を包装することが可能になり、包装処理の自由度を向上させることができる。
【０１１３】
また、柔らかく握られた米飯加工食品が包装されるような場合であっても、当該米飯加工食品を包装シートと密着しないように包装することが可能となるため、従来の包装食品のように米飯加工食品を包装シートにより緊縛状態で固く包装したものにあっては、米飯加工食品が包装シートによって四方から強い力で押圧されるいわゆる巻き締り現象が起り、これによって米飯加工食品が固くなって風合いが損なわれるような不具合が生じるが、本発明の包装食品ではそのような不具合の発生が確実に防止され、柔らかい風合いに富んだ米飯加工食品を得ることができる。
【０１１４】
さらに、米飯加工食品の形状を外部から視認し得ないようにすることができ、米飯加工食品の形状を視認し得る従来の即物的な包装食品に比べて奥ゆかしくなり、高級感が醸し出されることて商品価値をアップさせることができる。
【図面の簡単な説明】
【図１】本発明に係る包装シートの第１実施形態を示す一部切欠き分解斜視図である。
【図２】図１に示す包装シートの一部切欠き組み立て斜視図である。
【図３】図２に示す包装シートのＡ−Ａ線断面図である。
【図４】図２に示す包装シートの平面図である。
【図５】包装シートによるおにぎりの包装処理を説明するための説明図であり、（イ）は、包装シートの載置面におにぎりを載置した状態を示す斜視図、（ロ）は、包装シートの両端部をおにぎりに向けて折り起した状態を示す斜視図、（ハ）は、（ロ）のＢ−Ｂ線断面図である。
【図６】包装シートによるおにぎりの包装処理を説明するための説明図であり、（イ）は、両端部がおにぎりに向けて折り起された包装シートの対向縁部に溶着処理が施されつつある状態を示す斜視図、（ロ）は、包装シートによるおにぎりの包装が完了した状態を示す斜視図である。
【図７】おにぎりの包装シートからの解包を説明するための説明図であり、（イ）は、包装シートが解包される前の状態、（ロ）は、カットテープを引き剥がすことにより外フィルムが切断されつつある状態、（ハ）は、外フィルムが切断されることによりその下部が取り除かれた状態をそれぞれ示す正面視の断面図である。なお、沿え字の▲１▼は側面視の断面図であり、沿え字の▲２▼は、沿え字▲１▼の図のＣ−Ｃ線断面図である。
【図８】おにぎりの包装シートからの解包を説明するための説明図であり、（イ）は、上下に分離した包装シートの上方部分を摘み上げている状態を示す説明図、（ロ）は、包装シートの上方部分が取り外されることによって海苔に包まれたおにぎりが外部に露出した状態を示す斜視図である。なお、沿え字の▲１▼は側面視の断面図であり、沿え字の▲２▼は、沿え字▲１▼の図のＣ−Ｃ線断面図である。
【図９】本発明に係る包装シートの第２実施形態を示す斜視図である。
【図１０】図９に示す包装シートのＤ−Ｄ線断面図である。
【図１１】第２実施形態の包装シートによっておにぎりが包装されることにより形成した包装食品を示す斜視図である。
【図１２】第２実施形態の包装シートからのおにぎりの解包を説明するための説明図（図１１のＥ−Ｅ線断面図）であり、（イ）は、一方（右側）のカットテープが外されつつある状態、（ロ）は、他方（左側）のカットテープが外されつつある状態をそれぞれ示している。
【図１３】第２実施形態の包装シートからのおにぎりの解包を説明するための説明図であり、（イ）は、上下に分離した包装シートの上方部分を摘み上げている状態を示す説明図、（ロ）は、包装シートの上方部分が取り外されることによって海苔に包まれたおにぎりが外部に露出した状態を示す斜視図である。なお、沿え字の▲１▼は側面視の断面図であり、沿え字の▲２▼は、沿え字▲１▼の図のＦ−Ｆ線断面図である。
【図１４】包装シートの製造を説明するための包装シート製造装置の模式化された斜視概念図である。
【図１５】外フィルムの他の実施形態を示す図であり、（イ）は平面図、（ロ）は部分拡大斜視図である。
【図１６】（イ）および（ロ）は、従来の包装シートを例示する斜視図である。
【符号の説明】
１０，１０′　包装シート　　１０ａ　下部切断シート
１０ｂ　上部切断シート　　　１１　溶着縁部
１１ａ　溶着部　　　　　　　１２　載置面
１３　スポット溶着部　　　　１４　切断用始点角部
２０　外フィルム　　　　　　２１　切込み
３０　内フィルム　　　　　　３１　サイドフィルム
３２　サイドフィルム本体　　３３　狭幅延設フィルム
３４　狭幅基端フィルム　　　３５　折返しフィルム
３６　センターフィルム　　　４０　カットテープ
５０　包装シート製造装置　　５１　第１支持軸
５２　第２支持軸　　　　　　５２ａ　第１変位ローラ
５３　第３支持軸　　　　　　５３ａ　第２変位ローラ
５４　第４支持軸　　　　　　５４ａ　第３変位ローラ
５５　第５支持軸　　　　　　５５ａ　熱ローラ
６０　海苔装填機構　　　　　６１　センターフィルム加工装置
６２　第１折畳み装置　　　　６３　第１折畳み装置
６４ａ　カッター　　　　　　６４　溶着裁断装置
６５　中継コンベヤ　　　　　７０　包装工程
９１　外フィルムロール
９２　センターフィルムロール
９３　第１サイドフィルムロール
９４　第２サイドフィルムロール
９５　カットテープロール
Ｋ　曲折位置　　　　　　　　Ｒ１　包装食品
Ｓ　海苔　　　　　　　　　　Ｖ　収納空間
【図１】
2004081130.tif 000003
【図２】
2004081130.tif 000004
【図３】
2004081130.tif 000005
【図４】
2004081130.tif 000006
【図５】
2004081130.tif 000007
【図６】
2004081130.tif 000008
【図７】
2004081130.tif 000009
【図８】
2004081130.tif 000010
【図９】
2004081130.tif 000011
【図１０】
2004081130.tif 000012
【図１１】
2004081130.tif 000013
【図１２】
2004081130.tif 000014
【図１３】
2004081130.tif 000015
【図１４】
2004081130.tif 000016
【図１５】
2004081130.tif 000017
【図１６】
2004081130.tif 000018